(57)【要約】【課題】本発明は、複数の照明器具を容易に制御できる照明制御システム、発光装置、端末装置、音声認識ユニットおよび端末装置の制御方法を得ることを目的とする。【解決手段】本発明に係る照明制御システムは、点灯状態を変化させることで互いを識別する識別情報をそれぞれ送信し、制御条件を受信すると該制御条件に応じて動作する複数の照明器具と、該識別情報のうち少なくとも制御対象である領域に含まれる照明器具の識別情報を受信し、該領域を特定し、該制御条件と該領域に含まれる照明器具の識別情報を送信する端末装置と、該制御条件と該領域に含まれる照明器具の識別情報を受信し、該複数の照明器具のうち該受信した識別情報に対応する照明器具に該制御条件を送信する通信部と、を備える。【選択図】図１
2019145393.tif 000002
【特許請求の範囲】
【請求項１】
点灯状態を変化させることで互いを識別する識別情報をそれぞれ送信し、制御条件を受信すると前記制御条件に応じて動作する複数の照明器具と、
前記識別情報のうち少なくとも制御対象である領域に含まれる照明器具の識別情報を受信し、前記領域を特定し、前記制御条件と前記領域に含まれる照明器具の識別情報を送信する端末装置と、
前記制御条件と前記領域に含まれる照明器具の識別情報を受信し、前記複数の照明器具のうち前記受信した識別情報に対応する照明器具に前記制御条件を送信する通信部と、
を備えることを特徴とする照明制御システム。
【請求項２】
前記端末装置は、前記複数の照明器具のうち少なくとも前記領域に含まれる照明器具が映った画像を表示し、
前記画像上で前記領域が特定されることを特徴とする請求項１に記載の照明制御システム。
【請求項３】
前記領域は、使用者が前記画像上で前記領域を囲むことで特定されることを特徴とする請求項２に記載の照明制御システム。
【請求項４】
前記端末装置は、前記複数の照明器具のうち前記端末装置に表示された範囲を前記領域として特定することを特徴とする請求項２に記載の照明制御システム。
【請求項５】
前記領域には照明器具が複数含まれることを特徴とする請求項１から４の何れか１項に記載の照明制御システム。
【請求項６】
前記端末装置は、前記識別情報のうち前記領域に含まれる照明器具の識別情報のみを受信することを特徴とする請求項１から５の何れか１項に記載の照明制御システム。
【請求項７】
前記端末装置は、前記識別情報を全て受信することを特徴とする請求項１から５の何れか１項に記載の照明制御システム。
【請求項８】
前記端末装置は、
前記制御条件が入力される入力部と、
前記識別情報のうち少なくとも前記領域に含まれる照明器具の識別情報を受信し、前記複数の照明器具のうち少なくとも前記領域に含まれる照明器具を撮影する受光部と、
前記受光部が撮影した画像を表示し、前記画像上で前記領域が特定される表示部と、
前記領域に含まれる照明器具の識別情報と、前記制御条件を前記通信部に送信する送信部と、
を備えることを特徴とする請求項１から７の何れか１項に記載の照明制御システム。
【請求項９】
前記表示部には、使用者により前記制御条件が入力されることを特徴とする請求項８に記載の照明制御システム。
【請求項１０】
音声認識ユニットを備え、
前記音声認識ユニットには、使用者により音声で前記制御条件が入力されることを特徴とする請求項１から９の何れか１項に記載の照明制御システム。
【請求項１１】
前記端末装置は、前記音声認識ユニットを備えることを特徴とする請求項１０に記載の照明制御システム。
【請求項１２】
前記複数の照明器具は、前記制御条件を維持して点灯しながら光の強弱を変化させることで、前記識別情報を送信することを特徴とする請求項１から１１の何れか１項に記載の照明制御システム。
【請求項１３】
前記制御条件は、調光度、光色または色温度であることを特徴とする請求項１から１２の何れか１項に記載の照明制御システム。
【請求項１４】
複数の照明器具が点灯状態を変化させることでそれぞれ送信され前記複数の照明器具の互いを識別する識別情報のうち、少なくとも制御対象である領域に含まれる照明器具の識別情報を受信し、前記領域を特定し、前記領域に含まれる照明器具の識別情報と制御条件とを送信することを特徴とする端末装置。
【請求項１５】
前記識別情報のうち少なくとも前記領域に含まれる照明器具の識別情報を受信し、前記複数の照明器具のうち少なくとも前記領域に含まれる照明器具を撮影する受光部と、
前記受光部が撮影した画像を表示し、前記画像上で前記領域が特定される表示部と、
前記領域に含まれる照明器具の識別情報を外部に送信する送信部と、
を備えることを特徴とする請求項１４に記載の端末装置。
【請求項１６】
前記表示部には使用者により制御条件が入力され、
前記送信部は前記制御条件を外部に送信することを特徴とする請求項１５に記載の端末装置。
【請求項１７】
音声認識ユニットをさらに備え、
前記音声認識ユニットには、使用者により音声で制御条件が入力され、
前記送信部は前記制御条件を外部に送信することを特徴とする請求項１５または１６に記載の端末装置。
【請求項１８】
点灯状態を変化させることで互いを識別する識別情報をそれぞれ送信し、制御条件を受信すると前記制御条件に応じて動作する複数の照明器具を備え、
前記制御条件は、前記識別情報のうち少なくとも制御対象である領域に含まれる照明器具の識別情報を受信し、前記領域を特定する端末装置から、前記領域に含まれる照明器具の識別情報とともに送信されることを特徴とする発光装置。
【請求項１９】
複数の照明器具のうち制御対象である領域に含まれる照明器具の制御条件を音声により入力されることを特徴とする音声認識ユニット。
【請求項２０】
前記領域は、複数の照明器具が点灯状態を変化させることでそれぞれ送信され前記複数の照明器具の互いを識別する識別情報のうち、少なくとも前記領域に含まれる照明器具の識別情報を受信する端末装置によって特定されることを特徴とする請求項１９に記載の音声認識ユニット。
【請求項２１】
複数の照明器具が点灯状態を変化させることでそれぞれ送信され前記複数の照明器具の互いを識別する識別情報のうち、少なくとも制御対象である領域に含まれる照明器具の識別情報を受信することと、
前記領域を特定することと、
前記領域に含まれる照明器具の識別情報と制御条件とを外部に送信することと、
を備えることを特徴とする端末装置の制御方法。
【発明の詳細な説明】
【技術分野】
【０００１】
本発明は、照明制御システム、発光装置、端末装置、音声認識ユニットおよび端末装置の制御方法に関する。
【背景技術】
【０００２】
特許文献１には、可視光通信によって識別情報を送信している照明器具を動画で撮影する撮像部と、操作者からの指示を取得する操作部を備えた携帯端末が開示されている。この携帯端末は、動画を解析することによって照明器具の識別情報を特定し、特定した識別情報に対応する照明器具に指示を送信する。
【先行技術文献】
【特許文献】
【０００３】
【特許文献１】特開２０１６−１６７３８５号公報
【発明の概要】
【発明が解決しようとする課題】
【０００４】
照明制御システムにおいて、複数の照明器具を制御することが求められる場合がある。特許文献１に記載された携帯端末では、画面上でタッチすることによって、操作したい照明器具を選択する。ここで、制御したい照明器具を例えばタップにて個々に選択する場合、一般に画面が小さい携帯端末において、複数の照明器具から個々の照明器具を選択するのは困難である可能性がある。
【０００５】
また、特許文献１では、携帯端末の画面上で照明制御条件が設定される。このとき、照明器具の調光または調色などを行う際に、画面の表示が複雑となる可能性がある。このため、照明制御条件の設定が煩雑となる可能性がある。
【０００６】
本発明は、上述の課題を解決するためになされたもので、複数の照明器具を容易に制御できる照明制御システム、発光装置、端末装置、音声認識ユニットおよび端末装置の制御方法を得ることを目的とする。
【課題を解決するための手段】
【０００７】
本発明に係る照明制御システムは、点灯状態を変化させることで互いを識別する識別情報をそれぞれ送信し、制御条件を受信すると該制御条件に応じて動作する複数の照明器具と、該識別情報のうち少なくとも制御対象である領域に含まれる照明器具の識別情報を受信し、該領域を特定し、該制御条件と該領域に含まれる照明器具の識別情報を送信する端末装置と、該制御条件と該領域に含まれる照明器具の識別情報を受信し、該複数の照明器具のうち該受信した識別情報に対応する照明器具に該制御条件を送信する通信部と、を備える。
【０００８】
本発明に係る端末装置は、複数の照明器具が点灯状態を変化させることでそれぞれ送信され該複数の照明器具の互いを識別する識別情報のうち、少なくとも制御対象である領域に含まれる照明器具の識別情報を受信し、該領域を特定し、該領域に含まれる照明器具の識別情報と制御条件とを送信する。
【０００９】
本発明に係る発光装置は、点灯状態を変化させることで互いを識別する識別情報をそれぞれ送信し、制御条件を受信すると該制御条件に応じて動作する複数の照明器具を備え、該制御条件は、該識別情報のうち少なくとも制御対象である領域に含まれる照明器具の識別情報を受信し、該領域を特定する端末装置から、該領域に含まれる照明器具の識別情報とともに送信される。
【００１０】
本発明に係る音声認識ユニットは、複数の照明器具のうち制御対象である領域に含まれる照明器具の制御条件を音声により入力される。
【００１１】
本発明に係る端末装置の制御方法は、複数の照明器具が点灯状態を変化させることでそれぞれ送信され該複数の照明器具の互いを識別する識別情報のうち、少なくとも制御対象である領域に含まれる照明器具の識別情報を受信することと、該領域を特定することと、該領域に含まれる照明器具の識別情報と制御条件とを外部に送信することと、を備える。
【発明の効果】
【００１２】
本発明に係る照明制御システム、発光装置、端末装置、音声認識ユニットおよび端末装置の制御方法では、複数の照明器具のうち制御対象である領域が特定される。このため、制御対象である照明器具を一つ一つ選択する必要がない。従って、複数の照明器具を容易に制御できる。
【図面の簡単な説明】
【００１３】
【図１】実施の形態１に係る照明制御システムを示す図である。
【図２】実施の形態１に係る携帯端末を説明する図である。
【図３】実施の形態１において制御対象である領域の選択方法を説明する図である。
【図４】実施の形態１において制御対象である領域の別の選択方法を説明する図である。
【図５】実施の形態１に係る照明制御システムの動作を説明するフローチャートである。
【図６】比較例における制御対象の選択方法を説明する図である。
【図７】実施の形態１の変形例に係る照明制御システムの動作を説明するフローチャートである。
【図８】実施の形態２に係る照明制御システムを示す図である。
【図９】実施の形態２に係る照明制御システムの動作を説明するフローチャートである。
【図１０】実施の形態３に係る照明制御システムを示す図である。
【図１１】実施の形態３に係る照明制御システムの動作を説明するフローチャートである。
【図１２】実施の形態３の変形例に係る照明制御システムの動作を説明するフローチャートである。
【発明を実施するための形態】
【００１４】
本発明の実施の形態に係る照明制御システム、発光装置、端末装置、音声認識ユニットおよび端末装置の制御方法について図面を参照して説明する。同じ又は対応する構成要素には同じ符号を付し、説明の繰り返しを省略する場合がある。
【００１５】
実施の形態１．
図１は、実施の形態１に係る照明制御システム１００を示す図である。照明制御システム１００は、複数の照明器具１、携帯端末１７、認証サーバ１５、制御端末３、通信装置２を備える。複数の照明器具１は発光装置を構成する。
【００１６】
各々の照明器具１は制御ユニット９と光源部１０とを備える。制御ユニット９は、光源部１０を制御する。制御ユニット９は電源装置８と制御器７とを備える。本実施の形態では、各々の光源部１０に制御ユニット９が設けられているが、複数の光源部１０に共通の制御ユニット９が設けられていても良い。また本実施の形態では、照明制御システム１００は１２個の照明器具１を備える。これに限らず、照明器具１の数は複数であれば良い。
【００１７】
光源部１０は、光を放射する。光源部１０は、例えば、特定の空間を照らす。図１は、１つの部屋等の特定の空間を照らすために照明制御システム１００が用いられる例を示している。光源部１０は例えば複数のＬＥＤ（Ｌｉｇｈｔ  Ｅｍｉｔｔｉｎｇ  Ｄｉｏｄｅ）を備える。
【００１８】
制御ユニット９は、光源部１０から放射される光を調節する。光を調節することには、例えば光の強弱を変化させること、および光の色を変化させることが含まれる。光を調節する方法として、どのような方法を採用しても良い。例えば、振幅制御によって光源部１０から放射される光を調節しても良い。振幅制御では、ＬＥＤを流れる直流電流を制御することによって明るさを調節する。また、ＰＷＭ（Ｐｕｌｓｅ  Ｗｉｄｔｈ  Ｍｏｄｕｌａｔｉｏｎ）制御によって、光源部１０から放射される光を調節しても良い。ＰＷＭ制御では、予め定められた周波数でＬＥＤをオンおよびオフし、オン時間の比率を制御することによって光源部１０の明るさを調節する。
【００１９】
制御ユニット９は、光源部１０から特定の情報を送信させる。例えば、制御ユニット９は、光源部１０の点灯状態を変化させることで、光源部１０から識別情報１２を送信させる。識別情報１２は、複数の照明器具１の互いを識別する信号である。つまり、識別情報１２は、複数の照明器具１から各々の照明器具１を特定するための情報である。複数の照明器具１の各々には、固有の識別情報１２が予め割り当てられる。
【００２０】
各々の照明器具１は、光源部１０から放射される光の照明としての制御条件に応じて動作している。制御ユニット９は、例えば制御条件を維持しながら光の強弱を変化させる。これにより、制御ユニット９は光源部１０に識別情報１２を送信させる。ここで、照明としての制御条件は、例えば調光度、光色または色温度の少なくとも何れか１つである。例えば、制御ユニット９は、光源部１０から放射される光の色温度をある基準値または基準範囲に保ったまま、光の明るさを微小変動させる。これにより、制御ユニット９は光源部１０に識別情報１２を送信させる。
【００２１】
この結果、複数の照明器具１は識別情報１２をそれぞれ送信する。本実施の形態において、複数の照明器具１は、制御条件を維持して点灯しながら光の強弱を変化させることで、識別情報１２を送信する。光源部１０から識別情報１２を送信させるために光を変化させる方法は、どのような方法であっても良い。識別情報１２の送信には、種々の可視光通信技術が適用できる。本実施の形態における識別情報１２は、可視光通信における各照明器具１の固有ＩＤに該当する。
【００２２】
制御端末３は、外部から情報を受信する。制御端末３は、例えばネットワーク５を介して情報を受信する。ネットワーク５は、例えばインターネット回線である。制御端末３は、外部から情報を受信すると、受信した情報を通信装置２に送信する。制御端末３と通信装置２とは、照明制御通信線４によって接続される。制御端末３と通信装置２とは無線接続されても良い。
【００２３】
通信装置２は、制御端末３から情報を受信する。通信装置２は、制御端末３から情報を受信すると、受信した情報を複数の制御ユニット９の少なくとも１つに送信する。通信装置２と複数の制御ユニット９とは、例えば通信線６によって接続される。即ち、制御端末３から送信された情報は、通信装置２を介して複数の制御ユニット９の少なくとも１つに受信される。
【００２４】
図１は、通信装置２に複数の制御ユニット９が接続される例を示している。各制御ユニット９には光源部１０が接続される。制御端末３は、外部から情報を受信すると、受信した情報を、通信装置２を介して指定された制御ユニット９に送信する。
【００２５】
携帯端末１７は、例えばスマートフォンである。携帯端末１７は、光源部１０から放射される識別情報１２を受光する。本実施の形態に係る携帯端末１７は、端末装置に該当する。携帯端末１７は、識別情報１２を受信する図示しない受光部を有する。また、受光部は複数の照明器具１を撮影する。受光部は外部から光を受ける。受光部は、例えば撮像素子を備えたカメラである。撮像素子として、例えばＣＭＯＳ（Ｃｏｍｐｌｅｍｅｎｔａｒｙ  Ｍｅｔａｌ  ＯｘＩＤｅ  Ｓｅｍｉｃｏｎｄｕｃｔｏｒ）またはＣＣＤ（Ｃｈａｒｇｅ−Ｃｏｕｐｌｅｄ  Ｄｅｖｉｃｅ）が採用される。撮像素子として他の技術を採用しても良い。受光部は、例えば、光源部１０から放射された光を受ける。
【００２６】
携帯端末１７は受光部が受けた光に基づいて識別情報１２を特定する。携帯端末１７は、受光した識別情報１２が、複数の照明器具１のうちどの照明器具１の識別情報１２であるかを特定する。
【００２７】
携帯端末１７は、表示部１６を備える。表示部１６は、携帯端末表示画面である。表示部１６は、受光部が撮影した画像を表示する。つまり、表示部１６は複数の照明器具１の撮影された画像を表示する。本実施の形態では、受光部によって、識別情報１２の受信と同時に複数の照明器具１の画像が取得される。表示部１６には、複数の照明器具１のうち、識別情報１２を受信する照明器具１の画像が表示される。
【００２８】
これに限らず、識別情報１２の受信と複数の照明器具１の画像の取得は同時に行われなくても良い。また、表示部１６には複数の照明器具１の全てが表示されても良い。また、携帯端末１７は、複数の照明器具１が送信した識別情報１２を全て受信しても良く、一部を受信しても良い。
【００２９】
携帯端末１７は、表示部１６に表示された複数の照明器具１と受信した識別情報１２を関連付ける。使用者は表示部１６にて、複数の照明器具１のうち制御したい照明器具１ｃを選択する。これにより、携帯端末１７は、複数の照明器具１のうち制御対象である照明器具１ｃを特定する。なお、図１では制御対象である照明器具１ｃが他の照明器具１と区別されて描かれている。
【００３０】
表示部１６には照明器具１の画像と共に入力部１８が表示される。入力部１８は照明制御スイッチ表示である。入力部１８には制御条件が入力される。本実施の形態では、入力部１８は表示部１６の一部である。表示部１６には、使用者により制御条件が入力される。これに限らず、入力部１８と表示部１６は別個に設けられても良い。
【００３１】
使用者は入力部１８にて制御条件を指定する。制御条件は、制御対象である照明器具１ｃから放射される光を調節するための情報である。制御条件は、例えば、照明器具１ｃから放射される光の強弱を変化させるための調光情報である。制御条件は、照明器具１ｃから放射される光の色を変化させるための調色情報であっても良い。制御条件は、調光情報および調色情報の双方を含んでも良い。
【００３２】
携帯端末１７は、制御対象である照明器具１の識別情報１２と制御条件を、ネットワーク５を介して認証サーバ１５に送信する。認証サーバ１５は、携帯端末１７から情報を受信すると、受信した情報を、ネットワーク５を介して制御端末３に送信する。これにより、識別情報１２および制御条件は制御端末３によって受信される。
【００３３】
本実施の形態では、制御端末３と通信装置２が通信部を構成する。識別情報１２および制御条件は、認証サーバ１５を経由せずとも、携帯端末１７から直接、通信部に送信されても良い。
【００３４】
通信部は、複数の照明器具１のうち受信した識別情報１２に対応する照明器具１ｃの制御ユニット９に制御条件を送信する。制御ユニット９では、制御器７が制御条件に応じた調光情報および調色情報などに基づき、電源装置８を制御する。電源装置８の出力電力は、光源部１０を点灯させる。制御器７は、例えば電源装置８の出力電流を調節することで、光源部１０から放射される光を調節する。これにより、制御対象となる照明器具１ｃの調光、調色などが制御される。以上から、照明器具１ｃは、制御条件を受信すると制御条件に応じて動作する。
【００３５】
図２は、実施の形態１に係る携帯端末１７を説明する図である。携帯端末１７は、制御条件が入力される入力部１８と、識別情報１２を受信し複数の照明器具１を撮影する受光部１９を有する。また、携帯端末１７は、受光部１９が撮影した画像を表示し、画像上で制御対象である照明器具１ｃが特定される表示部１６を有する。さらに、携帯端末１７は、制御対象である照明器具１ｃの識別情報１２と、制御条件を外部に送信する送信部２０を有する。
【００３６】
また、携帯端末１７は、特定部２１を有する。特定部２１は、受光部１９が受光した識別情報１２が、複数の照明器具１のうちどの照明器具１の識別情報１２であるかを特定する。また、特定部２１は、表示部１６に表示された複数の照明器具１と受信した識別情報１２を関連付ける。さらに、特定部２１は、使用者が表示部１６において選択した領域から、複数の照明器具１のうち制御対象である照明器具１ｃを特定する。
【００３７】
図３は、実施の形態１において制御対象である領域の選択方法を説明する図である。図３は、複数の照明器具１のうち、制御対象となる照明器具１ｃを携帯端末１７にて指定する例を示している。表示部１６は例えばタッチパネル機能を有する。使用者は、表示部１６に複数の照明器具１の画像を表示させた状態で、画像上で制御対象である領域を囲む。これにより、制御対象である領域が特定される。この領域に含まれる照明器具１が、制御対象である照明器具１ｃとして特定部２１に特定される。
【００３８】
本実施の形態では、使用者は手８５を用いて、図３の軌跡８０に示されるように、画像上でフリーハンドにより制御対象である領域を囲む。制御対象である領域には照明器具１ｃが複数含まれる。これにより、複数の照明器具１ｃを一度で選択できる。ここでは、使用者が手８５を用いて制御対象である領域を囲む例を説明したが、使用者はタッチペン等を用いて制御対象である領域を囲んでも良い。これに限らず、制御対象である領域を一括で指定できれば、別の選択方法を用いても良い。
【００３９】
図４は、実施の形態１において制御対象である領域の別の選択方法を説明する図である。使用者は、表示部１６を例えば２本指でタップする。すると、表示部１６に枠８１が表示される。枠８１の表示の方法は、これに限らず、マルチタップ、ロングタップ等でも良い。また、枠８１は長方形であるが、四角、楕円等でも良い。次に、使用者は、２本指で枠８１を広げ、つまりピンチアウトにより、制御対象である領域を囲む。これにより、複数の照明器具１ｃを一度で選択できる。
【００４０】
また、枠８１をピンチインにより小さくし、選択する領域を狭めても良い。また、枠８１をスワイプにより移動させても良い。
【００４１】
このように本実施の形態では、受光部１９は、識別情報１２のうち少なくとも制御対象である領域に含まれる照明器具１ｃの識別情報１２を受信し、複数の照明器具１のうち少なくとも制御対象である領域に含まれる照明器具１ｃを撮影する。表示部１６は、複数の照明器具１のうち少なくとも制御対象である領域に含まれる照明器具１ｃが映った画像を表示する。表示部１６の画像上では、上述の方法により制御対象である領域が特定される。
【００４２】
送信部２０は、制御条件と制御対象である領域に含まれる照明器具１ｃの識別情報１２を通信部に送信する。通信部は、これらの情報を受信し、複数の照明器具１のうち受信した識別情報１２に対応する照明器具１ｃに制御条件を送信する。
【００４３】
図５は、実施の形態１に係る照明制御システム１００の動作を説明するフローチャートである。図５を参照し、照明制御システム１００で行われる一連の動作について説明する。まず、複数の照明器具１から光を照射させる。各々の照明器具１の照射光には、識別情報が可視光通信技術を用いて埋め込まれている。これにより、複数の照明器具１からそれぞれ識別情報が送信される（Ｓ１０１）。この時、制御ユニット９は、光源部１０から放射される光の照明としての制御条件を維持しながら光の強弱を変化させる。
【００４４】
ここで、ある使用者が、複数の照明器具１が設けられた空間の調光または調色を変えたい場合を考える。使用者は、携帯端末１７の受光部１９で複数の照明器具１の光を受ける。これにより、携帯端末１７は、複数の照明器具１の識別情報を取得する（Ｓ１０２）。このとき、携帯端末１７は、識別情報１２のうち少なくとも制御対象である領域に含まれる照明器具１ｃの識別情報を受信する。
【００４５】
同時に、使用者は受光部１９で複数の照明器具１を撮影する。これにより、複数の照明器具１の画像を取得する（Ｓ１０３）。また、複数の照明器具１を撮影するカメラは、識別情報を受信する受光部１９とは別に設けられていても良い。
【００４６】
一般に、スマートフォン等の受光部に備えられた撮像素子は、動画撮影する際のフレームレートが３０ｆｐｓであることが多い。このような携帯端末１７を用いると、携帯端末１７は当然に複数の照明器具１を３０ｆｐｓで撮影する。複数の照明器具１が識別情報１２を送信する際に、制御ユニット９が携帯端末１７のフレームレートに同期する周期で光の強弱を調節すれば、識別情報１２を効率的に送信することができる。上記の例であれば、複数の照明器具１は、３０ｂｐｓの通信速度で携帯端末１７に識別情報１２を送信できる。また、携帯端末１７或いはデジタルカメラ等のデジタル機器で複数の照明器具１を撮影した際に、撮影された画像に縞模様が発生することを抑制できる。なお、制御ユニット９は、２４ｆｐｓ、６０ｆｐｓ或いは１２０ｆｐｓのフレームレートに同期する周期で光の強弱を調節しても良い。
【００４７】
次に、携帯端末１７は、受光部１９で撮影された複数の照明器具１の画像を表示部１６に表示する（Ｓ１０４）。識別情報の取得のためには、受光部１９はリアルタイム映像として画像を取得する必要があるが、携帯端末１７の画面である表示部１６に表示される画像は静止画でも、リアルタイム映像でもよい。
【００４８】
次に、表示部１６の画像上で、使用者は制御したい複数の照明器具１ｃが含まれる領域を選択する。選択方法は図３と図４に示す通りであり、表示部１６上で使用者が手８５を使い制御対象である領域を囲う。これにより、携帯端末１７は制御対象である領域を特定する（Ｓ１０５）。
【００４９】
制御対象である領域を選択後、使用者は、入力部１８を用いて制御条件を入力する（Ｓ１０６）。ここでは、制御条件は例えば調光度であるとする。これにより、調光命令が生成される。
【００５０】
認証サーバ１５がある場合、携帯端末１７は、制御対象である領域に含まれる複数の照明器具１ｃの識別情報１２と調光命令を認証サーバ１５へ送信する。認証サーバ１５が無い場合は、携帯端末１７は、制御端末３へ直接、識別情報と調光命令を送信する（Ｓ１０７）。
【００５１】
携帯端末１７は、例えば制御条件の入力に必要な情報を取得するために、制御条件の送信を行う前に認証サーバ１５または制御端末３との間で１回以上の情報の送受信を行っても良い。制御条件の入力に必要な情報は、例えば、現在の調光度等である。また、携帯端末１７から認証サーバ１５または制御端末３に識別情報１２および制御条件を送信するために、図１に示されていない他の装置を介在させても良い。
【００５２】
認証サーバ１５がある場合、携帯端末１７から送信された識別情報１２および調光命令は、認証サーバ１５によって受信される。認証サーバ１５は、携帯端末１７から受信した識別情報１２および調光命令を制御端末３に送信する（Ｓ１０８）。
【００５３】
制御端末３は、識別情報１２および調光命令を受信したか否かを一定の周期で判定する。携帯端末１７から送信された識別情報１２および調光命令は、制御端末３によって受信される。制御端末３は、識別情報１２および調光命令を受信すると、受信した情報を通信装置２に送信する（Ｓ１０９）。
【００５４】
制御端末３から送信された識別情報１２および調光命令は、通信装置２によって受信される。通信装置２は、制御対象である領域に含まれる照明器具１ｃの識別情報１２および調光命令を受信すると、受信した識別情報１２に対応する照明器具１ｃの制御ユニット９に調光命令を送信する（Ｓ１１０）。
【００５５】
照明器具１ｃの制御ユニット９は、調光命令を受信する。制御ユニット９は、受信した調光命令に基づいて、調光信号線に調光信号を出力させ、光源部１０の制御条件を調節する。即ち、制御ユニット９は、通信部から調光命令を受信すると、受信した調光命令に基づいて光源部１０から放射される光を調節する。この結果、照明器具１ｃから調光命令に応じた光量が照射される（Ｓ１１１）。
【００５６】
以上から、照明制御システム１００では、複数の照明器具１から識別情報１２が送信される。携帯端末１７は、使用者が携帯端末１７の画面上で指定した領域内にある照明器具１ｃを表す識別情報１２を特定し、その識別情報１２を送信する。通信部は携帯端末１７から受信した識別情報１２に対応する照明器具１ｃに制御条件を送信する。これにより、照明器具１ｃから放射される光が調節される。
【００５７】
図６は、比較例における制御対象の選択方法を説明する図である。携帯端末８１７の画面上で、使用者はタップ動作にて１台ずつ制御対象である複数の照明器具１ｃを選択する。選択後は各々の照明器具１ｃに選択されたことを示すマーク８２が表示される。しかし、携帯端末８１７の画面が小さい場合、各々の照明器具１が小さく表示される。このとき、１台ずつ照明器具１ｃを選択するのは非常に困難である。
【００５８】
これに対し、本実施の形態では、複数の照明器具１ｃを一度で選択できる。従って、複数の制御したい照明器具１ｃをタップ動作で１台ずつ選択するのに比べ、簡易に複数の照明器具１ｃを選択できる。特に、小さな画面を有する携帯端末１７において、複数の照明器具１ｃの選択を容易にできる。従って、複数の照明器具１ｃを容易に制御できる。
【００５９】
使用者は、例えば自分のスマートフォンの画面上で直観的に複数の照明器具１ｃを選択できる。使用者は、スマートフォンの画面上で、複数の照明器具１ｃを１台ずつタップして選択する必要はない。このため、使用者は簡単に光の調節を行うことができる。
【００６０】
また、本実施の形態では、複数の照明器具１ｃを１台ずつ選択する方法に比べて、誤選択を防止し易い。さらに、予め複数の照明器具１がグループ化されている構成に比べて、制御対象である照明器具１ｃを自由に選べる。このため、複数の照明器具１の制御の自由度を向上できる。
【００６１】
既存のシステムを可能な限り活用して照明制御システム１００を構築するのであれば、認証サーバ１５と制御端末３とはインターネット回線で接続されることが望ましい。ただし、認証サーバ１５と制御端末３とは有線で接続されても良い。また、１つの装置に認証サーバ１５の機能と制御端末３の機能とを含めても良い。
【００６２】
また、通信部の構成は、図１に示されるものに限らない。通信部は、制御条件と制御対象である領域に含まれる照明器具１ｃの識別情報１２を受信し、複数の照明器具１のうち受信した識別情報１２に対応する照明器具１ｃに制御条件を送信できれば良い。また、複数の照明器具１は図１に示されるものに限らず、点灯状態を変化させることで互いを識別する識別情報１２をそれぞれ送信し、制御条件を受信すると制御条件に応じて動作すれば良い。
【００６３】
また、端末装置は、図１に示されるものに限らない。端末装置は、少なくとも制御対象である領域に含まれる照明器具１ｃの識別情報１２を受信し、制御対象である領域を特定し、制御対象である領域に含まれる照明器具１ｃの識別情報１２と制御条件とを送信できれば良い。例えば、端末装置のうち入力部１８は別に設けられても良い。
【００６４】
また、本実施の形態では、表示部１６において複数の照明器具１のうち少なくとも制御対象である領域に含まれる照明器具１ｃが映った画像上で、制御対象である領域が特定される。これに限らず、携帯端末１７において制御対象である領域が特定できるあらゆる方法を採用できる。例えば、表示部１６には、カメラ等で撮影された実際の複数の照明器具１の画像または映像に限らず、複数の照明器具１を簡略化して示した図などが表示されても良い。この場合、使用者が図上で制御対象である領域を指定することで、制御対象である領域が特定される。
【００６５】
また、本実施の形態では、照明器具１がＬＥＤを備える例について説明を行った。照明器具１は、ＬＥＤ以外の光源を備えても良い。例えば、照明器具１は、有機ＥＬ（ＥｌｅｃｔｒｏｌｕｍｉｎｅＳｃｅｎｃｅ）等の光源を備えても良い。
【００６６】
図７は、実施の形態１の変形例に係る照明制御システム１００の動作を説明するフローチャートである。図５に示される動作フローでは、携帯端末１７は、複数の照明器具１の識別情報１２を受信してから制御対象である領域を特定する。これに対し、図７に示される動作フローでは、携帯端末１７は、制御対象である領域を特定してから、特定された領域に含まれる照明器具１ｃの識別情報１２を受信する。
【００６７】
Ｓ２０１はＳ１０１と同じである。次に、使用者は受光部１９で複数の照明器具１を撮影する。この結果、携帯端末１７は複数の照明器具１の画像を取得する（Ｓ２０２）。次に、携帯端末１７は取得した画像を表示部１６に表示する（Ｓ２０３）。次に、表示部１６の画像上で、使用者は制御対象である領域を選択する。これにより、携帯端末１７は制御対象である領域を特定する（Ｓ２０４）。
【００６８】
次に、受光部１９は、Ｓ２０４で選択された領域に含まれる複数の照明器具１ｃの識別情報１２を得る。つまり、携帯端末１７は、複数の照明器具１のうち、制御対象である領域に含まれる複数の照明器具１ｃの識別情報のみを取得する（Ｓ２０５）。Ｓ２０６からＳ２１１は、図５のＳ１０６からＳ１１１と同様である。
【００６９】
この変形例では、携帯端末１７は、識別情報１２のうち制御対象である領域に含まれる照明器具１ｃの識別情報１２のみを受信する。このため、不要な識別情報１２を受信することが無く、携帯端末１７の制御を効率化できる。
【００７０】
これらの変形は以下の実施の形態に係る照明制御システム、発光装置、端末装置、音声認識ユニットおよび端末装置の制御方法について適宜応用することができる。なお、以下の実施の形態に係る照明制御システム、発光装置、端末装置、音声認識ユニットおよび端末装置の制御方法については実施の形態１との共通点が多いので、実施の形態１との相違点を中心に説明する。
【００７１】
実施の形態２．
図８は、実施の形態２に係る照明制御システム２００を示す図である。照明制御システム２００は、音声認識ユニット２６をさらに備える点が照明制御システム１００と異なる。音声認識ユニット２６は、携帯端末１７から独立して設けられている。これに限らず、音声認識ユニット２６は、携帯端末１７に内蔵されていても良い。携帯端末１７と音声認識ユニット２６は、端末装置２４０を構成する。
【００７２】
本実施の形態では、使用者は表示部１６に、複数の照明器具１のうち制御したい照明器具１ｃだけが写り込むようにする。これにより携帯端末１７は、制御対象である照明器具１ｃの画像と識別情報１２を取得する。携帯端末１７は、受光部１９が受けた光に基づいて特定した識別情報１２を、ネットワーク５を介して、認証サーバ１５または制御端末３に送信する。本実施の形態において、携帯端末１７の特定部２１は、受光部１９が受信した識別情報１２に対応する照明器具１ｃが制御対象であると特定する。つまり、携帯端末１７は、複数の照明器具１のうち携帯端末１７に表示された範囲を制御対象である領域として特定する。
【００７３】
また、使用者は音声認識ユニット２６に対して、発話２７をして制御条件を指定する。音声認識ユニット２６は制御条件を認識して、制御条件を認証サーバ１５または制御端末３に送信する。つまり、音声認識ユニット２６には、使用者により音声で制御条件が入力される。また、音声認識ユニット２６が携帯端末１７に内蔵される場合、音声認識ユニット２６に入力された制御条件は、送信部２０により外部に送信されても良い。
【００７４】
認証サーバ１５は、例えば携帯端末１７から識別情報１２、音声認識ユニット２６から制御条件を受信すると、受信した情報を、ネットワーク５を介して制御端末３に送信する。これ以外の動作は、実施の形態１と同様である。
【００７５】
図９は、実施の形態２に係る照明制御システム２００の動作を説明するフローチャートである。まず、複数の照明器具１が光を照射する（Ｓ３０１）。使用者は受光部１９で制御対象である照明器具１ｃを撮影する。これにより携帯端末１７は照明器具１ｃの画像を取得する（Ｓ３０２）。次に、携帯端末１７は、表示部１６に取得した画像を表示させる（Ｓ３０３）。また、照明器具１ｃの撮影と同時に、受光部１９が照明器具１ｃの光を受けることで、携帯端末１７は照明器具１ｃの識別情報を取得する（Ｓ３０４）。携帯端末１７は照明器具１ｃの識別情報を認証サーバ１５または制御端末３へ送信する（Ｓ３０５）。
【００７６】
携帯端末１７が制御したい照明器具１ｃの光を受光し、照明器具１ｃの画像を表示した後、使用者は音声認識ユニット２６に音声で制御条件を入力する（Ｓ３０６）。制御条件は例えば調光度である。これにより、調光命令が生成される。音声認識ユニット２６は制御条件を認証サーバ１５または制御端末３へ送信する（Ｓ３０７）。音声認識ユニット２６から認証サーバ１５または制御端末３に制御条件を送信するために、図９に示されていない他の装置を介在させても良い。
【００７７】
認証サーバ１５が存在する場合、携帯端末１７から送信された識別情報１２および音声認識ユニット２６から送信された制御条件は、認証サーバ１５によって受信される。認証サーバ１５は、これらの情報を制御端末３に送信する（Ｓ３０８）。
【００７８】
ここで、認証サーバ１５または制御端末３が、識別情報１２を受信する前に制御条件を取得してしまった場合、認証サーバ１５または制御端末３は、どの照明器具１に対して制御命令を発信してよいか判断できない。このため、エラーループ処理を行う。認証サーバ１５または制御端末３は、携帯端末１７と音声認識ユニット２６に、照明器具１ｃが選択されていない旨を通知する（Ｓ３１３）。携帯端末１７と音声認識ユニット２６は、使用者に照明器具１ｃの選択を促す。つまり、携帯端末１７と音声認識ユニット２６は、使用者に対して、携帯端末１７による制御対象である照明器具１ｃの撮影を促す（Ｓ３１４）。携帯端末１７で使用者が照明器具１ｃを撮影した後、携帯端末１７は、撮影した照明器具１ｃの識別情報１２を認証サーバ１５または制御端末３へ送信する（Ｓ３１５）。
【００７９】
なお、認証サーバ１５または制御端末３は、識別情報１２の前に制御条件を取得してしまった場合でも、ある決まった期間、携帯端末１７から識別情報が送信されるのを待っても良い。ある決まった期間は例えば３秒間である。これにより、エラーループを回避できる。
【００８０】
制御端末３は、識別情報１２および制御条件を受信したか否かを一定の周期で判定する。制御端末３は、識別情報１２および制御条件を受信すると、受信した情報を通信装置２に送信する（Ｓ３０９、Ｓ３１０）。Ｓ３１１、Ｓ３１２は実施の形態１のＳ１１０、Ｓ１１１と同様である。
【００８１】
照明制御システム２００では、複数の照明器具１から識別情報１２が送信される。そのうち、表示部１６に表示された照明器具１ｃの識別情報を携帯端末１７は受信する。これにより、携帯端末１７は、表示部１６に表示された範囲を制御対象である領域として特定する。通信部は、制御対象である領域に含まれる照明器具１ｃの識別情報１２と制御条件とを受信すると、受信した識別情報１２に該当する照明器具１ｃに制御条件を送信する。これにより、制御条件に基づいて、照明器具１ｃから放射される光が調節される。
【００８２】
本実施の形態においても、使用者は、例えば自分のスマートフォンのカメラで直観的に制御対象である照明器具１ｃを捉えて、複数の照明器具１から照明器具１ｃを選択できる。このため、使用者は容易に複数の照明器具１を制御できる。
【００８３】
また、制御条件の入力が音声によって行われるため、使用者は簡単に光の調節を行うことができる。制御条件の入力が音声によって行われることで、携帯端末１７に複数の照明器具１のそれぞれを特定するための多数の釦またはスイッチを備える必要がない。さらに、表示部１６に入力部１８を表示する必要がない。このため、携帯端末１７の表示部１６が単純化され、さらに容易に複数の照明器具１を制御できる。
【００８４】
また、音声だけで複数の照明器具１から制御対象である照明器具１ｃを指定する場合、指令が複雑になる可能性がある。特に、特定の空間の中に照明器具１が多数存在する場合、制御対象である照明器具１ｃを特定するには、照明器具１ｃの位置を発話せざる負えない場合がある。このため、かえって指示が煩雑になる可能性がある。
【００８５】
しかし、本実施の形態では、制御対象である照明器具１ｃの特定は画像の取得により行い、制御条件のみを音声で入力する。このように、画像の取得と音声入力を組み合わせることで、制御の煩雑さを回避でき、容易に複数の照明器具１を制御できる。
【００８６】
本実施の形態では、複数の照明器具１のうち１つの照明器具１ｃが携帯端末１７に表示される。これに限らず、複数の照明器具１に含まれる一群の照明器具１ｃが携帯端末１７に表示されても良い。この場合は、一群の照明器具１ｃが制御対象である領域として特定される。
【００８７】
実施の形態３．
図１０は、実施の形態３に係る照明制御システム３００を示す図である。照明制御システム３００は、音声認識ユニット２６を備える点が照明制御システム１００と異なる。
【００８８】
本実施の形態では、実施の形態１と同様に、制御対象である領域は使用者が表示部１６にて該当する領域を囲むことで特定される。携帯端末１７は、制御対象である領域に含まれる照明器具１ｃの識別情報１２を認証サーバ１５または制御端末３に送信する。
【００８９】
また、使用者は音声認識ユニット２６に対して、発話２７をして制御条件を指定する。音声認識ユニット２６は制御条件を認識して、制御条件を認証サーバ１５または制御端末３に送信する。認証サーバ１５が識別情報１２および制御条件を受信した場合、認証サーバ１５は受信した情報を制御端末３に送信する。これ以外の動作は、実施の形態１と同様である。
【００９０】
図１１は、実施の形態３に係る照明制御システム３００の動作を説明するフローチャートである。Ｓ４０１からＳ４０５は実施の形態１のＳ１０１からＳ１０５と同じである。制御対象である領域を選択後、携帯端末１７は制御対象である領域に含まれる照明器具１ｃの識別情報を認証サーバ１５または制御端末３へ送信する（Ｓ４０６）。
【００９１】
その後、使用者は音声認識ユニット２６に音声で制御条件を入力する（Ｓ４０７）。制御条件は例えば調光度である。これにより、調光命令が生成される。音声認識ユニット２６は制御条件を認証サーバ１５または制御端末３へ送信する（Ｓ４０８）。Ｓ４０９からＳ４１６は実施の形態２のＳ３０８からＳ３１５と同様である。
【００９２】
図１２は、実施の形態３の変形例に係る照明制御システム３００の動作を説明するフローチャートである。図１１に示される動作フローでは、携帯端末１７は、複数の照明器具１の識別情報１２を受信してから、制御対象である領域が選択される。これに対し、図１２に示される動作フローでは、制御対象である領域が選択されてから、制御対象である領域に含まれる照明器具１ｃの識別情報１２を受信する。
【００９３】
Ｓ５０１からＳ５０５は、図７に示されるＳ２０１からＳ２０５と同じである。また、Ｓ５０６からＳ５１６は、図１１に示されるＳ４０６からＳ４１６と同じである。
【００９４】
本実施の形態においても、使用者は、例えば自分のスマートフォンの画面上で直観的に複数の照明器具１ｃを選択できる。使用者は、スマートフォンの画面上で、複数の照明器具１ｃを１台ずつタップして選択する必要はない。このため、使用者は簡単に光の調節を行うことができる。
【００９５】
また、制御条件の入力が音声によって行われるため、使用者は簡単に光の調節を行うことができる。また、携帯端末１７の表示部１６が単純化され、さらに容易に複数の照明器具１を制御できる。また、制御対象である照明器具１ｃの特定は画像上で行われ、使用者は制御条件のみを音声で入力する。このように、画像の取得と音声入力を組み合わせることで、制御の煩雑さを回避でき、容易に複数の照明器具１を制御できる。
【００９６】
なお、各実施の形態で説明した技術的特徴は適宜に組み合わせて用いてもよい。
【符号の説明】
【００９７】
１００、２００、３００  照明制御システム、１、１ｃ  照明器具、１２  識別情報、１６  表示部、１７  携帯端末、１８  入力部、１９  受光部、２０  送信部、２１  特定部、２４０  端末装置、２６  音声認識ユニット
【図１】
2019145393.tif 000003
【図２】
2019145393.tif 000004
【図３】
2019145393.tif 000005
【図４】
2019145393.tif 000006
【図５】
2019145393.tif 000007
【図６】
2019145393.tif 000008
【図７】
2019145393.tif 000009
【図８】
2019145393.tif 000010
【図９】
2019145393.tif 000011
【図１０】
2019145393.tif 000012
【図１１】
2019145393.tif 000013
【図１２】
2019145393.tif 000014